(57)【特許請求の範囲】
【請求項１】
矩形状に形成した枠材内に断熱材を充填し、該枠材の上下両面をそれぞれ上板および下板で覆い、前記上板の上面に垂木を接合し、この垂木上に野地板を接合して該野地板と前記上板との間に通気層を形成した一体ユニット構造の通気屋根パネルであって、
前記上板が前記一体ユニットの両側縁の枠材から突出しており、かつ野地板の横方向の長さは、左右両端の垂木間の長さより短く、野地板の左右両側の縁部が、左右両端の垂木の幅の内側に支持される長さであることを特徴とする通気屋根パネル。
【請求項２】
前記上板は、その左右両側の側縁が前記枠材から突出し、上縁は前記枠材の幅の約半分の長さだけ枠材外面より内側に引込み、下縁は前記枠材の幅の約半分の長さだけ枠材外面より外側に突出していることを特徴とする請求項１に記載の通気屋根パネル。
【請求項３】
請求項１または２に記載の通気屋根パネルを、前記両側縁の枠材から突出した部分の上板を登り梁上に支持し、２本の登り梁間に枠材を嵌め込んだ状態で前記上板の突出部を登り梁に固定し、左右に隣接する該パネルの野地板間の隙間を後貼り合板により埋めるとともに、該後貼り合板を左右に隣接する該パネルの垂木の端部上に支持させて固定したことを特徴とする通気屋根パネルの取付け構造。
【発明の詳細な説明】
【０００１】
【発明の属する技術分野】
本発明は、木造住宅の屋根面を構成する屋根パネルに関し、特に通気層を有する屋根構造を構成するための通気屋根パネルおよびその取付け構造に関するものである。
【０００２】
【従来の技術】
木造住宅の屋根面を構成するために、予め工場等で断熱材を充填して作製された屋根パネルが用いられている。この屋根パネルは、現場で屋根を支える骨組構造である小屋組の登り梁等に取付けられる。このような断熱屋根パネルは、例えば▲１▼特開平５−３４００１８号公報に記載されている。
【０００３】
このような断熱材を充填した屋根パネルで屋根面を形成した場合、結露等を防止するためにパネル上面と野地板との間に通気層を形成した通気屋根構造が取られる。従来この通気層を形成するために、現場で屋根パネルを取付けた後、現場施工により屋根面に垂木を取付けその上に野地板を取付けていた。
【０００４】
しかしながら、このような現場施工での垂木や野地板の取付け作業は、面倒であり工期が長くなる。
そこで、予めパネルの表面材と裏面材の間の断熱材の上面に通気層を形成した屋根パネルが提案されている（▲２▼特開平８−２７７５９６号公報）。このような通気構造を有する屋根パネルを屋根面に取付けることにより、現場で通気構造のための垂木や野地板を取付ける必要がなくなり、施工性が向上する。
【０００５】
この公報記載の通気層を有する断熱パネルは、枠材の表面および裏面をそれぞれ表面板および裏面板で覆い、その内部に断熱材および通気層を形成して矩形体形状（筐体状）の断熱パネルを構成している。この断熱パネルを屋根面に取付ける場合、複数の断熱パネルがその隣接する枠材同士を突き合せて並べて配設される。
【０００６】
【発明が解決しようとする課題】
しかしながら、上記▲２▼の公報記載の断熱パネルにおいては、筐体状パネルの周囲側面が平面状であり、複数のパネルを隣接配置する場合、その側面同士を接触させて並べるため、小屋組の梁等に固定する場合、パネルの厚さ以上の長さの釘等の固定部材を用いて固定するかあるいはその他特殊な取付け手段で固定しなければならない。したがって、断熱パネルの施工性が十分改善されず気密性等の点で問題が生じやすい。
【０００７】
一方、上記▲１▼の公報記載の断熱パネル構造では、断熱材を充填した枠材の両面を矩形合板で覆って筐体を形成し、さらにその上下両面に接合用合板を上下で位置をずらせて接合し、このずれた部分で隣接する断熱パネル同士を嵌め合わせて連結している。しかしながら、この公報記載の断熱パネル構造ではパネル筐体を構成する上下両面の合板の上下にさらに接合用合板を設けるため、パネル全体の厚さが大きくなり、これにさらに通気層を組合せるとさらに厚さが増加し断熱パネルとしてユニット化した場合の梁等への取付けの点で前述の▲２▼の公報の例と同様に施工性や気密性の点で問題を生じやすい。
【０００８】
本発明は上記従来技術を考慮したものであって、コンパクトな形状で通気層と断熱材とを一体ユニット化して現場での取付け作業性を向上させるとともに気密性を向上させた通気屋根パネルおよびその取付け構造の提供を目的とする。
【０００９】
【課題を解決するための手段】
前記目的を達成するため、本発明では、矩形状に形成した枠材内に断熱材を充填し、該枠材の上下両面をそれぞれ上板および下板で覆い、前記上板の上面に垂木を接合し、この垂木上に野地板を接合して該野地板と前記上板との間に通気層を形成した一体ユニット構造の通気屋根パネルであって、前記上板が前記一体ユニットの両側縁の枠材から突出しており、かつ野地板の横方向の長さは、左右両端の垂木間の長さより短く、野地板の左右両側の縁部が、左右両端の垂木の幅の内側に支持される長さであることを特徴とする通気屋根パネルを提供する。
【００１０】
この構成によれば、矩形枠材の上面を覆う上板が枠材の両側に突出しているため、この突出部分の上板縁部を屋根の骨組材に支持させて固定することにより、容易に確実にパネルを取付けることができ施工性とともに気密性が向上し、また骨組材間に枠材が落とし込まれて嵌め込まれた状態で上板が骨組間を覆うため、さらに気密性の確保が図られる。
【００１１】
好ましい構成例では、前記上板は、その左右両側の側縁が前記枠材から突出し、上縁は前記枠材の幅の約半分の長さだけ枠材外面より内側に引込み、下縁は前記枠材の幅の約半分の長さだけ枠材外面より外側に突出していることを特徴としている。
【００１２】
この構成によれば、上板の左右両側の側縁が屋根面の骨組材に支持されるとともに、上板および下板が枠材の幅の半分ずつ上下にずれているため、上下に配設した屋根パネル同士を突き合せてずれた部分同士を嵌め合わせて連結することにより、気密性を保持して上下パネル同士が接合される。
【００１３】
本発明ではさらに上記本発明に係る通気屋根パネルの取付構造として、請求項１または２に記載の通気屋根パネルを、前記両側縁の枠材から突出した部分の上板を登り梁上に支持し、２本の登り梁間に枠材を嵌め込んだ状態で前記上板の突出部を登り梁に固定し、左右に隣接する該パネルの野地板間の隙間を後貼り合板により埋めるとともに、該後貼り合板を左右に隣接する該パネルの垂木の端部上に支持させて固定したことを特徴とする通気屋根パネルの取付構造を提供する。
【００１４】
この構成によれば、屋根面の登り梁間に枠材の上板を支持して枠材部分を登り梁間のスペース内に落とし込んだ状態で各屋根パネルの上板が登り梁に固定され屋根面に取付けられる。これにより、屋根パネルを取付ける場合の施工性が向上し、屋根パネル取付け構造の気密性が向上する。
【００１５】
【発明の実施の形態】
以下図面を参照して本発明の実施の形態について説明する。
図１（Ａ）（Ｂ）はそれぞれ、本発明の実施の形態に係る通気屋根パネルの横方向から見た断面図および縦方向から見た断面図である。また図２（Ａ）〜（Ｄ）は、それぞれ図１の通気屋根パネルの構成部材の上面図である。
【００１６】
この通気屋根パネル１は、矩形状に形成した枠材２の内部にグラスウール等の断熱材３を充填し、この枠材２の上下両面をそれぞれ例えば合板からなる上板４および下板５で覆い、上板５の上面に複数本の垂木６を並列して取付け、さらにその上に例えば合板からなる野地板７を取付けて野地板７と上板５との間に通気層８を形成して一体ユニット構造としたものである。枠材２の中央部には補強用の枠材９が設けられる。
【００１７】
上板４は、その左右の両側縁４ａが枠材２の外側に突出している（図１（Ａ）、図２（Ｂ）参照）。この上板４の上縁４ｂは、枠材２の幅の約半分の長さだけ枠材２の外面から内側に引込んで枠材２上に取付けられる。また上板４の下縁４ｃは、枠材２の幅の約半分の長さだけ枠材２の外面から外側に突出して枠材２上に取付けられる。
【００１８】
各垂木６の長さは上板４の縦方向の長さと同じである。野地板７の縦方向の長さは垂木６の長さより短い。野地板７の横方向の長さは、左右両端の垂木６間の長さより短く、野地板７の左右両側の縁部７ａが、左右両端の垂木６の幅の半分の位置の内側に支持される長さである（図１（Ａ）、図２（Ｄ）参照）。
【００１９】
図３は、上記本発明の通気屋根パネルを屋根面に装着した状態の取付け構造を示す側面図であり、図４および図５はそれぞれその横方向（左右方向）および縦方向（上下方向）の詳細断面図である。
この例の小屋組では、図３に示すように、棟木１０および母屋１１がそれぞれ束１２上に配設され、屋根面に沿って所定の傾斜角度（ａ：ｂ）の登り梁１３が所定間隔で縦方向に複数本配設される。２本の登り梁１３間に、本発明の通気小屋パネル１の断熱材３を充填した枠材２が嵌め込まれるように装着される。
【００２０】
図４に示すように、登り梁１３の上面に左右両側の通気屋根パネル１の上板４の突出した縁部４ａが支持され釘１７により固定される。したがって、パネルの枠材２は、その左右両側の登り梁１３間に落とし込まれた状態で装着される。この登り梁１３に沿ってパネル下面側にはパネル受け材１５が現場での後付けにより取付けられる。左右パネルの野地板７間の隙間は、各パネルを固定した後に後貼り合板１４により埋められる。この後貼りの合板１４は、図示したように、左右パネルの垂木６の端部上に支持されて固定される。
【００２１】
このように、各通気屋根パネル１の上板４を左右に突出させてその突出部分を登り梁１３上に支持して固定することにより、通常の釘打ち等により容易に確実に各パネルを固定することができ施工性が向上するとともに、各通気屋根パネル１と登り梁１３間の気密性が向上する。また、登り梁１３間のスペース内にパネル枠材２部分が嵌め込まれて落とし込んだ状態で装着されるため、構造がコンパクトで強度的にも安定して保持され断熱性や気密性が十分に保たれる。
【００２２】
各通気屋根パネル１の上下方向の接合部は、図５に示すように、上下パネルの枠材２同士を突き合せ、上側のパネルの上板４および垂木６の端部を、相手側となる下側のパネルの枠材２の上面半分の位置の外側で、相手側の上板４および垂木６に突き合せて支持する。この突き合せ接合部分の上下の野地板７間の隙間は、垂木６上に載置した後貼りの合板１６により埋められる。
【００２３】
このように、各通気屋根パネル１の上下縁の一方（上縁側）を枠材２より引込ませ、他方（下縁側）を枠材２より突出させて、両方の縁部を突き当てて嵌め合せるように接合することにより、上下パネル間が確実に接合されるとともに各パネル間の気密性が確保される。
【００２４】
屋根面にこのような通気屋根パネル１を敷き詰めた後、防水シート等を介して瓦材を取付ける。なお、通気屋根パネル１内の断熱材３の上面あるいは下面に透湿防水シートを予め設けておいてもよい。
【００２５】
棟や軒部分のパネルは、枠材から突出する上板あるいは垂木の突出長さを棟木や軒材等に合わせて適宜変更して取付けることができる。
【００２６】
また、上下パネル同士の接合は、上記実施形態のように相互に位置ずれさせてこれらを重ね合せる構造に限らず、平坦な対向した端面同士を突き合せてその上面を後貼りの合板等で覆ってもよい。
【００２７】
【発明の効果】
以上説明したように、本発明では、矩形枠材の上面を覆う上板が枠材の両側に突出しているため、この突出部分の上板縁部を屋根の骨組材に支持させて固定することにより、容易に確実にパネルを取付けることができ施工性とともに気密性が向上し、また骨組材間に枠材が落とし込まれて嵌め込まれた状態で上板が骨組間を覆うため、さらに気密性の確保が図られる。これにより、予め垂木および野地板が取付けられ通気層を有するコンパクトに一体ユニット化された通気屋根パネルを用いて、現場での垂木や野地板の取付け作業を省き、十分信頼性の高い通気構造の屋根を確実に且つ高い気密性を保持して効率よく取付けることができ工期の短縮が図られる。
【図面の簡単な説明】
【図１】  本発明の実施の形態に係る通気屋根パネルの断面構成図。
【図２】  図１の通気屋根パネルの各構成部材の上面図。
【図３】  図１の通気屋根パネルの取付け構造を示す側面図。
【図４】  図１の通気屋根パネルの横方向取付け部の詳細図。
【図５】  図１の通気屋根パネルの縦方向取付け部の詳細図。
【符号の説明】
１：通気屋根パネル、２：枠材、３：断熱材、４：上板、５：下板、
６：垂木、７：野地板、８：通気層、９：補強枠材、１０：棟木、
１１：母屋、１２：束、１３：登り梁、１４，１６：後貼りの合板、
１５：パネル受け材、１７：釘。
【図１】
0004006505.tif 000002
【図２】
0004006505.tif 000003
【図３】
0004006505.tif 000004
【図４】
0004006505.tif 000005
【図５】
0004006505.tif 000006